(57)【要約】【課題】多様な走査条件を有するＸ線ＣＴ装置の較正処理に要する時間を短縮する。【解決手段】走査条件として、フィルタ、Ｘ線管電圧、マルチスライス数、スライス幅等の種類を特定してＸ線画像を取得するＸ線ＣＴ装置（１０）において、全ての走査条件についての較正処理は行わず、所定の走査条件の組み合わせにおいてのみ較正処理を実行する。走査コンソール（４０）は、較正を行う走査条件の組み合わせを特定する表を格納する記憶装置（４５３、４５４）とを含んでおり、本願の好適な実施態様において、較正を行う走査条件の組み合わせを特定する表はユーザにより修正可能となっている。【選択図】図７
2009028193.tif 000002
【特許請求の範囲】
【請求項１】
複数の走査条件に基づいて走査を行うことができるＸ線ＣＴ装置（１０）で
あって、
Ｘ線源（１４）と、
前記Ｘ線源（１４）から照射されたＸ線を収集する複数の検出器素子（２０）を備えたＸ
線検出アレイ（１８）と、
前記検出器素子（２０）からのアナログ・データをサンプリングして、ディジタル信号を
生成するデータ収集システム（３２）と、
前記複数の走査条件毎に前記検出器素子の検出感度を較正する手段と、
前記Ｘ線ＣＴ装置において設定可能な前記走査条件を格納する記憶装置（４５３、４５４
）とを含み、
前記検出器素子の検出感度を較正する手段は、当該Ｘ線ＣＴ装置において設定可能な前記
走査条件の内、当該Ｘ線ＣＴ装置において既定の組み合わせ及び／又はユーザにより設定
された組み合わせについて較正を行う対象に特定する特定条件較正手段を含むＸ線ＣＴ装
置（１０）。
【請求項２】
前記走査条件は、Ｘ線源から照射されたＸ線の強度を調整するためのフィル
タの種類、Ｘ線管電圧、Ｘ線焦点サイズ、スライス数、スライス幅の一種又は二種以上で
ある、請求項１に記載のＸ線ＣＴ装置。
【請求項３】
前記記憶装置は、当該較正を行う対象となる走査条件を記憶する、請求項１
に記載のＸ線ＣＴ装置。
【請求項４】
前記特定条件較正手段は、較正を行う対象となる走査条件を、ユーザにより
選択又は修正可能とする、請求項３に記載のＸ線ＣＴ装置。
【請求項５】
前記特定条件較正手段は、所定期間使用していない走査条件を、前記較正を
行う対象となる走査条件から除外する、請求項３に記載のＸ線ＣＴ装置。
【請求項６】
前記検出器素子の検出感度を較正する手段は、当該Ｘ線ＣＴ装置において既
定の組み合わせ及び／又はユーザにより設定された組み合わせ以外の組み合わせを含む走
査条件の組み合わせについて較正する一般条件較正手段をさらに含み、
前記検出器素子の検出感度を較正する手段は、前記特定条件較正手段と前記一般条件
構成手段とのどちらを使用するかを選択する手段をさらに有する、請求項１から請求項５
の何れか一項に記載のＸ線ＣＴ装置。
【発明の詳細な説明】
【技術分野】
【０００１】
本発明は、Ｘ線ＣＴ（Ｃｏｍｐｕｔｅｄ  Ｔｏｍｏｇｒａｐｈｙ）装置に関する。
【背景技術】
【０００２】
Ｘ線ＣＴ装置は、近年、走査の際に複数のスライス（ｓｌｉｃｅ）のデータ（ｄａｔａ
）を得るマルチスライス（ｍｕｌｔｉ  ｓｌｉｃｅ）型Ｘ線ＣＴ装置が主流となっている
。このマルチスライス型Ｘ線ＣＴ装置、多数の検出器素子が、行及び列を成して配列され
た別々のチャンネル（ｃｈａｎｎｅｌ）を形成している多列Ｘ線検出器を含んでいる。こ
の多列Ｘ線検出器を用いた走査の際には、多数行の検出器セルにＸ線ビーム（ｂｅａｍ）
が同時に入射するので、多数のスライスのデータが同時に得られる。例えば、４スライス
検出器は４列の検出器素子を有しており、１６スライス検出器は１６列の検出器素子を有
している。さらに、複数の列のデータを組み合わせ、スライスの幅を変更することもでき
る。
【０００３】
このような多列Ｘ線検出器を有するＸ線ＣＴ装置では、Ｘ線管の状態の経時変化等の原
因により、その多列Ｘ線検出器の検出感度についても経時変化が起こることが知られてい
る。そこで、従来から、定期的に（例えば毎日）多列Ｘ線検出器の検出感度の較正が行な
われている。具体的には、そのＸ線ＣＴ装置が設定可能なＸ線管電圧、コリメータ（ｃｏ
ｌｌｉｍａｔｏｒ）の開口幅、Ｘ線管の焦点サイズ（ｓｉｚｅ）、Ｘ線源から照射された
Ｘ線の強度を調整するためのフィルタ（ｆｉｌｔｅｒ）の種類及びサンプリング（ｓａｍ
ｐｌｉｎｇ）速度等の走査条件毎に、被検体がない状態（空気の状態）でＸ線検出信号を
測定し、その条件において基準となる検出感度となるような補正データが求められる。
【０００４】
例えば、特許文献１は、サンプリング速度に対する較正処理について開示されている
。
【特許文献１】特開２００２−３２０６１１号公報
【発明の開示】
【発明が解決しようとする課題】
【０００５】
しかしながら、上述のような較正処理を例えば毎日行うのは、時間的な負担が多く、さ
らに近年におけるＸ線検出器の多列化に伴ない、較正に要する時間がさらに長くなる傾向
にあるという問題点があった。
【０００６】
本発明は、上記問題点を鑑みてなされたものであり、Ｘ線検出器の検出感度の較正処理
に要する時間を短縮化可能なＸ線ＣＴ装置を提供することを目的とする。
【課題を解決するための手段】
【０００７】
本発明の第１の観点は、複数の走査条件に基づいて走査を行うことができるＸ線ＣＴ装
置（１０）であって、Ｘ線源（１４）と、前記Ｘ線源（１４）から照射されたＸ線を収集
する複数の検出器素子（２０）を備えたＸ線検出アレイ（ａｒｒａｙ）（１８）と、前記
検出器素子（２０）からのアナログ・データ（ａｎａｌｏｇ  ｄａｔａ）をサンプリング
して、ディジタル（ｄｉｇｉｔａｌ）信号を生成するデータ収集システム（ｓｙｓｔｅｍ
）（３２）と、前記複数の走査条件毎に前記検出器素子の検出感度を較正する手段と、前
記Ｘ線ＣＴ装置において設定可能な前記走査条件を格納する記憶装置（４５３、４５４）
とを含み、前記検出器素子の検出感度を較正する手段は、当該Ｘ線ＣＴ装置において設定
可能な前記走査条件の内、当該Ｘ線ＣＴ装置において既定の組み合わせ及び／又はユーザ
（ｕｓｅｒ）により設定された組み合わせについて較正を行う対象に特定する特定条件較
正手段を含むＸ線ＣＴ装置（１０）というものである。
【０００８】
また、第２の観点は、第１の観点のＸ線ＣＴ装置において、前記走査条件は、Ｘ線源か
ら照射されたＸ線の強度を調整するためのフィルタの種類、Ｘ線管電圧、Ｘ線焦点サイズ
、スライス数、スライス幅の一種又は二種以上である、というものである。
【０００９】
また、第３の観点は、第１の観点のＸ線ＣＴ装置において、前記記憶装置は、当該較正
を行う対象となる走査条件を記憶する、というものである。
【００１０】
また、第４の観点は、第３の観点のＸ線ＣＴ装置において、前記特定条件較正手段は、
較正を行う対象となる走査条件を、ユーザにより選択又は修正可能とする、というもので
ある。
【００１１】
また、第５の観点は、第３の観点のＸ線ＣＴ装置において、前記特定条件較正手段は、
所定期間使用していない走査条件を、前記較正を行う対象となる走査条件から除外する、
というものである。
【００１２】
また、第６の観点は、第１から第５の何れか一つの観点のＸ線ＣＴ装置において、前記
検出器素子の検出感度を較正する手段は、当該Ｘ線ＣＴ装置において既定の組み合わせ及
び／又はユーザにより設定された組み合わせ以外の組み合わせを含む走査条件の組み合わ
せについて較正する一般条件較正手段をさらに含み、前記検出器素子の検出感度を較正す
る手段は、前記特定条件較正手段と前記一般条件構成手段とのどちらを使用するかを選択
する手段をさらに有する、というものである。
【発明の効果】
【００１３】
本発明のＸ線ＣＴ装置によれば、Ｘ線検出器の検出感度の較正処理に要する時間を短縮
化可能となる。
【発明を実施するための最良の形態】
【００１４】
以下添付した図面を参照して、本発明を好適な実施形態に従って、詳細に説明する。
【００１５】
図１及び図２には、本実施形態に係るＸ線ＣＴ装置１０が、いわゆる「第３世代」のＸ
線ＣＴ装置において典型的に用いられるガントリ（ｇａｎｔｒｙ）１２を含んでいるもの
として示されている。ガントリ１２はＸ線源１４を有しており、Ｘ線源１４は、ガントリ
１２の対向する側に設けられている検出器アレイ１８に向かってＸ線ビーム１６を投射す
る。検出器アレイ１８は、多数の検出器素子２０によって形成されており、これらの検出
器素子２０は、Ｘ線源１４から照射されて被検体２２を通過したＸ線を感知する。各々の
検出器素子２０は、入射Ｘ線ビームの強度を表す電気信号、従って被検体２２を通過する
間のＸ線ビームの減弱量を表す電気信号を発生する。Ｘ線投影データを取得するために、
ガントリ１２及びガントリ１２に装着されている構成部品は、回転中心２４の周りを回転
する。
【００１６】
ガントリ１２の回転及びＸ線源１４の動作は、ＣＴシステム１０の制御機構２６によっ
て制御される。制御機構２６はＸ線制御装置２８及びガントリ・モータ（ｇａｎｔｒｙ  
ｍｏｒｔｏｒ）制御装置３０を含んでいる。Ｘ線制御装置２８はＸ線源１４に対して電力
信号及びタイミング（ｔｉｍｉｎｇ）信号を供給し、ガントリ・モータ制御装置３０はガ
ントリ１２の回転速度及び位置を制御する。制御機構２６内に設けられているデータ収集
システム（ＤＡＳ）３２が、検出器素子２０からのアナログ・データをサンプリングして
、後続の処理のためにこのデータをディジタル信号へ変換する。画像再構成装置３４が、
サンプリングされてディジタル化されたＸ線データをＤＡＳ３２から受け取って、高速画
像再構成を実行する。再構成された画像はコンピュータ（ｃｏｍｐｕｔｅｒ）３６への入
力として印加され、コンピュータ３６は大容量記憶装置３８に該画像を記憶させる。別法
では操作コンソール（ｃｏｎｓｏｌｅ）４０が、サンプリングされてディジタル化された
Ｘ線データをＤＡＳ３２から受け取って、高速画像再構成を実行する。
【００１７】
コンピュータ３６はまた、後述するコンソール４０を介して、操作者からコマンド（ｃ
ｏｍｍａｎｄ）（命令）及び各種走査用パラメータ（ｐａｒａｍｅｔｅｒ）を受け取る。
操作者が供給したコマンド及びパラメータは、コンピュータ３６によって用いられて、Ｄ
ＡＳ３２、Ｘ線制御装置２８及びガントリ・モータ制御装置３０に制御信号及び情報を供
給する。加えて、コンピュータ３６は、モータ式テーブル（ｔａｂｌｅ）４６を制御する
テーブル・モータ制御装置４４を動作させて、被検体２２をガントリ１２の中に位置決め
する。具体的には、テーブル４６は、被検体２２の各部をガントリ開口４８の中に移動さ
せる。
【００１８】
図３は操作コンソール４０のシステム構成を示すブロック（ｂｌｏｃｋ）概略図である
。操作コンソール４０は、いわゆるワークステーション（ｗｏｒｋｓｔａｔｉｏｎ）であ
り、図示するように、装置全体の制御をつかさどるＣＰＵ４５１、ブートプログラム（ｂ
ｏｏｔ  ｐｒｏｇｒａｍ）等を記憶しているＲＯＭ４５２、主記憶装置として機能するＲ
ＡＭ４５３をはじめ、以下の構成を備える。
【００１９】
ＨＤＤ４５４は、ハードディスク（ｈａｒｄ  ｄｉｓｋ）装置であって、ここにＯＳや
、スキャン（ｓｃａｎ）制御プログラムのほか、コンピュータ３６に各種指示を与えたり
、コンピュータ３６より受信したデータに基づいてＸ線断層像を再構成するための画像再
構成プログラムが格納されている。ＶＲＡＭ４５５は表示しようとするイメージデータ（
ｉｍａｇｅ  ｄａｔａ）を展開するメモリ（ｍｅｍｏｒｙ）であり、ここにイメージデー
タ等を展開することでディスプレイ（ｄｉｓｐｌａｙ）４５６に表示させることができる
。４５７及び４５８は、後述する走査条件の設定等、各種設定を行うためのキーボード（
ｋｅｙｂｏａｒｄ）およびマウス（ｍｏｕｓｅ）である。また、４５９はコンピュータ３
６と通信を行うためのインタフェース（ｉｎｔｅｒｆａｃｅ）である。４６０はその他の
データ入力機器と接続するインタフェースである。
【００２０】
操作コンソール４０は、また、光ディスク、光磁気ディスク、ＣＤ−ＲＯＭ、ＤＶＤ、
磁気テープ（ｔａｐｅ）、不揮発性のメモリカード（ｍｅｍｏｒｙ  ｃａｒｄ）等の各種
記録媒体に格納されたプログラムやデータをＲＡＭ４５３にロード（ｌｏａｄ）するＣＤ
−ＲＯＭドライブ（ｄｒｉｖｅ）等の各種記録媒体駆動装置４６１を備えている。操作コ
ンソール４０はさらに、通信インタフェース４６３を備え、ネットワーク（ｎｅｔｗｏｒ
ｋ）に接続し、ネットワークに存在するデータやプログラムをダウンロード（ｄｏｗｎｌ
ｏａｄ）することができる。ＣＤ−ＲＯＭ等の各種記録媒体に格納されたプログラムやデ
ータ及び、ネットワークからダウンロードされたプログラム（画像処理プログラムを含む
）やデータはＲＡＭ４５３にロードされ、実行される。
【００２１】
本実施形態においては、Ｘ線管電圧、コリメータの開口幅、Ｘ線管の焦点サイズ、Ｘ線
源から照射されたＸ線の強度を調整するためのフィルタの種類及びサンプリング（ｓａｍ
ｐｌｉｎｇ）速度等の種々の走査条件の組み合わせについて、Ｘ線源からＸ線を照射して
、上述のガントリ被検体がない状態（空気の状態）でＸ線検出信号を測定する。そして、
その条件において基準となる検出感度となるような補正データが求められる。
【００２２】
図４は、本実施形態に係るＸ線ＣＴ装置において設定可能な走査条件の種類を示す表で
ある。この表において、「Ｈｅａｄ」５０１、「Ｂｏｄｙ」５０３とあるのは、Ｘ線源か
ら照射されたＸ線の強度を調整するために、Ｘ線源と被検体との間に配置して使用される
フィルタの種類を示すものである。このフィルタは、被検体を通過するＸ線と被検体を通
過しないＸ線の強度に大きな差が生じないように、被検体の形状にほぼ合うように、被検
体を通過するＸ線が通過する部分が薄く、被検体を通過しない部分が厚くなる、即ち、中
央部に凹部が形成されたような形状を有するように、被検体の断面と平行な方向にその板
厚が調整されたものであり、頭と身体とで、中央部に凹部の大きさが異なるものである。
「ｋＶ」５０５とあるのは、Ｘ線管１４に供給されるＸ線管電圧である。図４において「
８０」「１００」「１２０」「１４０」と示されているように、Ｘ線電圧値は、通常、複
数の固定値を選択して設定される。「２×０．６２５」．．．「１６×１．２５」（５１
１−５１９）とあるのは、Ｘ線検出器の使用形態を示す数値であり、「多列Ｘ線検出アレ
イにおいて同時に取得するスライス数×スライス幅（ｍｍ）」を示すものである。すなわ
ち、この例において、１つの検出素子の幅は０．６２５ｍｍであり、２列を１スライスの
幅とするとスライス幅は１．２５ｍｍ、４行を１スライスの幅とするとスライス幅は２．
５ｍｍ、６行を１スライスの幅とするとスライス幅は３．７５ｍｍとなり、例えば、スラ
イス幅１．２５ｍｍのスライスデータを同時に１６スライス取得する場合は、６×１．２
５となる。上記走査条件は、記憶装置４５４に格納されている。図４において、セルが網
掛けで塗りつぶされている箇所（例えばセル６０３）は、図４に示された種々の走査条件
の組み合わせのうち、装置メーカ（ｍａｋｅｒ）が推奨する走査条件の組み合わせが、装
置出荷時に設定された既定条件として特定されている箇所であり、本実施形態においては
、この走査条件の組み合わせが、較正を行う対象となる。図に示されるように、この例で
はセル６０３に対応する走査条件である「フィルタ」＝「身体用」、「管電圧」＝１２０
ｋＶ、マルチスキャン（ｍｕｌｔｉ  ｓｃａｎ）数＝１６、スライス幅＝１．２５ｍｍで
補正データの取得が行われる。この一方、セル（ｃｅｌｌ）６０１に対応する走査条件で
ある「フィルタ」＝「身体用」、「管電圧」＝１４０ｋＶ、マルチスキャン数＝４、スラ
イス幅＝３．７５ｍｍでは補正データの取得は行なわれない。
【００２３】
尚、本願発明の好適な実施態様においては、この特定された走査条件の組み合わせは、
ユーザがカスタマイズ（ｃｕｓｔｏｍｉｚｅ）、即ち、ユーザにより走査条件の組み合わ
せの特定を追加及び削除できるようになっている。具体的には、操作コンソール４０の記
憶装置４５４には、図４に対応する出荷時に特定された走査条件の組み合わせ表５００が
記憶されている。操作コンソール４０の記憶装置４５４は、更に、ユーザが修正可能な走
査条件の組み合わせ表６００（図５）と、実際に較正処理が行われる際に参照される走査
条件の組み合わせ表７００（図６）を記憶している。
【００２４】
初期段階において、修正可能な走査条件の組み合わせ表６００は、出荷時に特定された
走査条件の組み合わせ表５００をコピー（ｃｏｐｙ）することにより作成されている。本
願の好適な実施態様において、上述のように特定された走査条件の組み合わせに対し、ユ
ーザは最近使用した走査条件の組み合わせを較正処理の対象として特定する一方、所定期
間使用していない走査条件の組み合わせを較正処理の対象から除外することができる。例
えば図５のセル６０５に対応する走査条件の組み合わせで２００７年４月９日に較正処理
または実際の走査が行われ、セル６０７に対応する走査条件の組み合わせで２００７年５
月８日に較正処理または実際の走査が行われたとする。修正可能な走査条件の組み合わせ
表６００は、図に示すように、走査条件の組み合わせと対応付けて較正処理または実際の
走査が行われた日付を記憶する。所定期間が１ヶ月であり、現在の日付が２００７年５月
１１日だとすると、セル６０５に対応する走査条件の組み合わせは較正の対象としては特
定されず、セル６０７に対応する走査条件の組み合わせは較正の対象として特定される。
【００２５】
具体的には、図７の較正処理の処理手順を示すフローチャート（ｆｌｏｗ  ｃｈａｒｔ
）に示されているように、ユーザが操作コンソール４０において、特定の走査条件につい
て較正処理を実行することを指示する入力を行うと、操作コンソール４０はそのイベント
（ｉｖｅｎｔ）を検出し、図７に示す処理を開始する（ステップ（ｓｔｅｐ）８０３）。
較正処理が行われる際に、図６に示す実際に較正処理が行われる際に参照される走査条件
の組み合わせ表７００を作成又は更新する（ステップ８０５）。本願発明の好適な実施形
態において、実際に較正処理が行われる際に参照される走査条件の組み合わせ表７００の
各セルには、較正処理を行うか否かのフラグ（ｆｌａｇ）が格納されている。操作コンソ
ール４０に格納されたプログラムは、修正可能な走査条件の組み合わせ表６００の各セル
に含まれる日付のデータと、現在の日付及びユーザにより設定された所定期間を参照し、
「各セルに含まれる日付」＋「ユーザにより設定された所定期間」＞「現在の日付」の場
合は、実際に較正処理が行われる際に参照される走査条件の組み合わせ表７００の対応す
るセルに１（較正処理を行う）をセット（ｓｅｔ）し、「各セルに含まれる日付」＋「ユ
ーザにより設定された所定期間」≦「現在の日付」の場合は、実際に較正処理が行われる
際に参照される走査条件の組み合わせ表７００の対応するセルに０（較正処理を行う）を
セットする。
【００２６】
本願発明の好適な実施態様において表５００、表６００及び表７００は、操作コンソー
ル４０のハードディスク４５４に格納され、ＲＡＭ４５３にロードされ、ＲＡＭ４５３に
ロードされたコンピュータプログラムと協働するＣＰＵ４５１により処理される。
【００２７】
実際に較正処理が行われる際に参照される走査条件の組み合わせ表７００が作成される
と、次に表７００で「１」がセットされた走査条件の組み合わせが特定され、特定された
走査条件の較正処理のみが行われる（ステップ８０７）。具体的には、操作コンソール４
０のＣＰＵ４５１は、インタフェース４５９を介してコンピュータ３６に特定された走査
条件の情報を送り、かかる特定された走査条件の較正のみを行うように指示するコマンド
を送る。
【００２８】
また、本実施形態において、走査コンソールは、特定の走査条件について較正処理を実
行することを指示を入力する手段とは別に、従来のような、Ｘ線ＣＴ装置において既定の
組み合わせ及び／又はユーザにより設定された組み合わせ以外の組み合わせを含む走査条
件の組み合わせについて較正することを指示を入力する手段を有し、ユーザは、上述のよ
うな特定の走査条件の組み合わせについて較正を行うのか、従来行ってきた一般的な走査
条件の組み合わせについて較正を行うかを選択することができる。
【００２９】
本発明が満たす様々な必要性の達成について本発明の様々な実施形態を図示して説明し
た。但し、これらの実施形態は、本発明の様々な実施形態の原理を説明するに過ぎないこ
とを理解されたい。本発明の要旨及び範囲から逸脱しないような様々な実施形態に対する
多くの改変及び適応構成は当業者には明らかであろう。例えば、本願発明は人体、動植物
の検査みならず、例えば配管の内側表面の状態を検査することにも適用可能である。また
、本明細書に記載したＣＴ装置は、Ｘ線源及び検出器の両方がガントリと共に回転する「
第３世代」の装置である。検出器が全環状で静止しておりＸ線源のみがガントリと共に回
転する方式の「第４世代」の装置など、他の多くのＣＴ装置を用いることもできる。さら
に、実施例においては操作コンソールにおいて実際に較正処理が行われる際に参照される
走査条件の組み合わせ表が作成されているが、例えば遠隔地に存在するコンピュータで作
成する等、様々なコンピュータを用いで作成できるものであり、かかる全ての変形は本書
で網羅されているものとする。このように、本発明は、特許請求の範囲及びその同等物の
範囲内に含まれるような全ての適当な改変及び変形を網羅するものとする。また、図面の
符号に対応する特許請求の範囲中の符号は、単に本願発明の理解をより容易にするために
用いられているものであり、本願発明の範囲を狭める意図で用いられたものではない。そ
して、本願の特許請求の範囲に記載した事項は、明細書に組み込まれ、明細書の記載事項
の一部となる。
【図面の簡単な説明】
【００３０】
【図１】Ｘ線ＣＴ装置の見取り図である。
【図２】図１に示すＸ線ＣＴ装置のブロック概略図である。
【図３】操作コンソールのシステム構成を示すブロック概略図である。
【図４】本発明の一実施形態にかかる走査条件の組み合わせを示す表である。
【図５】本発明の一実施形態にかかる走査条件の組み合わせを示す表である。
【図６】本発明の一実施形態にかかる走査条件の組み合わせを示す表である。
【図７】較正処理の処理手順を示すフローチャートである。
【符号の説明】
【００３１】
１０  Ｘ線ＣＴ装置
１２  ガントリ
１４  Ｘ線源
１８  検出器アレイ
１６  Ｘ線ビーム
２０  検出器素子
２２  被検体
２４  回転中心
２６  制御機構
２８  Ｘ線制御装置
３０  ガントリ・モータ制御装置
３２  データ取得システム（ＤＡＳ）
３４  画像再構成装置
３６  コンピュータ
３８  大容量記憶装置
４０  コンソール
４２  陰極線管表示装置
４６  テーブル
４８  ガントリ開口
４５１  ＣＰＵ
４５２  ＲＯＭ
４５３  ＲＡＭ
４５４  ＨＤＤ
４５５  ＶＲＡＭ
４５６  ディスプレイ
４５７  キーボード
４５８  マウス
４５９  インタフェース
４６０  入力インタフェース
４６１  記録媒体駆動装置
４６３  通信インタフェース
【図１】
2009028193.tif 000003
【図２】
2009028193.tif 000004
【図３】
2009028193.tif 000005
【図４】
2009028193.tif 000006
【図５】
2009028193.tif 000007
【図６】
2009028193.tif 000008
【図７】
2009028193.tif 000009